(57)【要約】【課題】装置の大型化を抑制すると共に簡単な構成で冷凍機から排出される熱を処理し、商品収納部の冷却の際に生じる結露水を確実に蒸発させることのできる空気調和システムを提供する。【解決手段】冷凍機２０から排出された熱を処理する空気を供給する冷凍機用空調機４０と、冷蔵オープンショーケース１０で生じたドレン水を、冷凍機用空調機４０から冷凍機２０に供給されて冷凍機２０から排出された熱を含む空気によって蒸発させるドレン水蒸発処理機構２４と、ドレン水蒸発処理機構２４が有するドレンパンに貯留されたドレン水の量を取得するドレン水量取得部としてのドレン水位センサ５４と、ドレン水位センサ５４において取得したドレン水の量に基づいて、冷凍機用空調機４０から供給する空気の温度を制御する供給空気温度制御部としてのコントローラと、を備えている。【選択図】図２
2020098085.tif 000002
【特許請求の範囲】
【請求項１】
冷凍機を内蔵したショーケースが設置された店舗用の空気調和システムであって、
前記冷凍機から排出された熱を処理する空気を供給する冷凍機用空調機と、
前記ショーケースで生じたドレン水を、前記冷凍機用空調機から前記冷凍機に供給されて前記冷凍機から排出された熱を含む空気によって蒸発処理するドレン水蒸発処理機構と、
前記ドレン水蒸発処理機構が有するドレンパンに貯留されたドレン水の量を取得するドレン水量取得部と、
前記ドレン水量取得部において取得したドレン水の量に基づいて、前記冷凍機用空調機から供給する空気の温度を制御する供給空気温度制御部と、を備えた
空気調和システム。
【請求項２】
前記ドレン水量取得部は、前記ドレンパンに貯留されているドレン水の水位に基づいて前記ドレンパンに貯留されたドレン水の量を取得する
請求項１に記載の空気調和システム。
【請求項３】
前記ドレン水量取得部は、前記冷凍機を構成する凝縮器における冷媒の凝縮温度に基づいて前記ドレンパンに貯留されたドレン水の量を取得する
請求項１に記載の空気調和システム。
【請求項４】
前記供給空気温度制御部は、前記ドレン水量取得部によって取得したドレン水の量が所定量以上の場合に、前記冷凍機用空調機から供給する空気の温度を上昇させる
請求項１乃至３のいずれかに記載の空気調和システム。
【請求項５】
前記冷凍機は、当該冷凍機から排出された熱を処理する空気を流通させるための送風機を有し、
前記送風機は、前記ドレン水量取得部によって取得したドレン水の量が所定量以上の場合に、風量を増加させる
請求項１乃至３のいずれかに記載の空気調和システム。
【請求項６】
前記冷凍機は、前記ショーケースの上部に設けられ、
前記冷凍機の側面には、前記冷凍機から排出される熱を処理する空気を流入させる流入口が設けられ、
前記冷凍機の上面には、前記冷凍機から排出される熱を含む空気を流出させる流出口が設けられ、
店舗内の天井面には、前記冷凍機用空調機から店舗内に供給される空気を前記流入口に向けて吹き出す吹出口が設けられている
請求項１乃至５のいずれかに記載の空気調和システム。
【請求項７】
ドレン水を前記ドレン水蒸発処理機構に搬送する搬送機構を備えた
請求項１乃至６のいずれかに記載の空気調和システム。
【発明の詳細な説明】
【技術分野】
【０００１】
本発明は、冷凍機を内蔵したショーケースが設置された店舗用の空気調和システムに関するものである。
【背景技術】
【０００２】
例えばコンビニエンスストア等の店舗では、圧縮機及び凝縮器を含む冷凍機を内蔵したショーケースが設置される場合がある。ショーケースに内蔵された冷凍機から排出された熱は、冬期等、店舗内の暖房を行っている状態で、暖房負荷を低減する方向に作用するが、夏期等、店舗内の冷房を行っている状態で、冷房負荷を増大させる方向に作用する。
【０００３】
従来の店舗では、冷凍機から排出された熱による冷房負荷の増大を抑制するために、冷凍機から排出された熱を処理する空気を店舗外から供給し、冷凍機から排出された熱によって加熱された空気を店舗外に排出する給排気装置を備えたものが知られている（例えば、特許文献１参照）。
【先行技術文献】
【特許文献】
【０００４】
【特許文献１】特開２０１６−５７０１２号公報
【発明の概要】
【発明が解決しようとする課題】
【０００５】
前記給排気装置を備えた店舗では、店舗外の空気を冷凍機に供給するための給気流路と、冷凍機から排出された空気を店舗外に排出するための排気流路と、を天井内に設置する必要があり、設備が複雑化するとともに大型化することになる。また、前記給排気装置を備えた店舗では、夏期等において高温となる店舗外の空気を冷凍機に供給することになるため、凝縮器における冷媒との熱交換面積を大きくする必要がある。
【０００６】
また、冷凍機を内蔵したショーケースは、ドレン水蒸発処理機構を備え、商品収納部内の冷却によって生じるドレン水を冷凍機から排出される熱が放出された空気によって蒸発処理していた。しかし、ドレン水の蒸発量は、ドレン水を蒸発させる空気の温度や流量によって変化するため、確実にドレン水を処理して排水機構を不要とすることは困難である。
【０００７】
本発明の目的とするところは、装置の大型化を抑制すると共に簡単な構成で冷凍機から排出される熱を処理し、商品収納部の冷却の際に生じるドレン水を確実に蒸発させることのできる空気調和システムを提供することにある。
【課題を解決するための手段】
【０００８】
本発明の空気調和システムは、前記目的を達成するために、冷凍機を内蔵したショーケースが設置された店舗用の空気調和システムであって、前記冷凍機から排出された熱を処理する空気を供給する冷凍機用空調機と、前記ショーケースで生じたドレン水を、前記冷凍機用空調機から前記冷凍機に供給されて前記冷凍機から排出された熱を含む空気によって蒸発処理するドレン水蒸発処理機構と、前記ドレン水蒸発処理機構が有するドレンパンに貯留されたドレン水の量を取得するドレン水量取得部と、前記ドレン水量取得部において取得したドレン水の量に基づいて、前記冷凍機用空調機から供給する空気の温度を制御する供給空気温度制御部と、を備えている。
【発明の効果】
【０００９】
本発明によれば、冷凍機用空調機によって、ショーケースの冷凍機から排出される熱を処理することができるとともに、ドレン水蒸発処理機構におけるドレン水の蒸発量を調整することができる。よって、冷凍機から排出された熱を店舗外に排出するための装置を必要とすることなく、簡単な構成で冷凍機から排出される熱を処理することができ、装置の大型化を抑制することができる。また、ドレン水蒸発処理機構においてドレン水を確実に蒸発させることが可能となる。
【図面の簡単な説明】
【００１０】
【図１】本発明の一実施形態を示す空気調和システムの概略構成図である。
【図２】空気調和システムの要部概略構成図である。
【図３】制御系を示すブロック図である。
【図４】ドレン水蒸発量調整処理を示すフローチャートである。
【発明を実施するための形態】
【００１１】
図１乃至図４は、本発明の一実施形態を示すものである。
【００１２】
本発明の空気調和システムは、図１に示すように、コンビニエンスストア等の店舗１内の温度及び湿度を調整するためのものである。
【００１３】
店舗１は、建築物の内部に形成された略直方体形状の空間に構成され、空間の短手方向一端側の壁面における長手方向一端側に出入口１ａが設けられている。
【００１４】
店舗１内には、店舗１内の短手方向に互いに間隔をおいて並べられ、それぞれ長手方向に延びる複数の商品棚２と、店舗１内の長手方向の一端側に設けられたカウンター３と、店舗１内の長手方向他端側に設けられた倉庫４と、倉庫４内に設けられたウォークイン冷蔵庫５と、店舗１内の短手方向他端側に位置する商品棚２に隣接して並ぶように設けられた冷凍オープンショーケース６と、店舗１内の短手方向の他端側の壁面に沿って設けられたリーチイン冷凍庫７及び複数の冷蔵オープンショーケース１０と、が設置されている。
【００１５】
ウォークイン冷蔵庫５は、店舗１内の通路側の面に設けられた商品取出用開口と、庫内の商品陳列棚に商品を補充する作業者が出入りするために倉庫４内側に設けられた商品補充用開口と、を有する箱状に形成されている。ウォークイン冷蔵庫５は、商品取出用開口が、ガラス板等の透明な部材によって内部の商品陳列棚に陳列された商品を視認可能な商品取出扉によって開閉され、商品補充用開口が、補充開口開閉扉によって開閉される。
【００１６】
冷凍オープンショーケース６は、上面が開口された平型のオープンショーケースであり、内側に氷菓子等の商品を収納するための商品収納部が形成されている。冷凍オープンショーケース６は、上面の開口部分にエアカーテンが形成される。
【００１７】
リーチイン冷凍庫７は、前面が開口され、内部に冷凍食品等の商品が収納される商品収納部が形成された冷凍庫である。リーチイン冷凍庫７は、前面の開口がガラス板等の透明な部材によって内部を視認可能な商品取出扉によって開閉される。
【００１８】
複数の冷蔵オープンショーケース１０は、それぞれ、前面が開口された本体を有する多段オープンショーケースである。冷蔵オープンショーケース１０は、図２に示すように、本体内部に商品を収納するための商品収納部１１が形成され、商品収納部１１内の上下方向に複数の商品陳列棚１１ａが設けられている。冷蔵オープンショーケース１０は、商品収納部１１の下面側、背面側、上面側に沿って形成された通風路１２を有している。通風路１２内には、商品収納部１１の下面側、背面側、上面側の順に空気を流通させるための第１送風機１２ａが設けられている。商品収納部１１の上面側に位置する通風路１２の前端側には、下方に臨む空気吐出口１２ｂが形成されている。また、商品収納部１１の下面側に位置する通風路１２の前端側には、上方に臨む空気吸入口１２ｃが形成されている。商品収納部１１の前面開口には、通風路１２を流通する空気が、空気吐出口１２ｂから吐出されて空気吸入口１２ｃから吸入されることによって、エアカーテンが形成される。また、冷蔵オープンショーケース１０の背面側の上部に位置する通風路１２には、冷媒を蒸発させて通風路１２を流通する空気を冷却するための蒸発器１２ｄと、蒸発器１２ｄにおいて冷媒と熱交換する空気を流通させるための第２送風機１２ｅと、が設けられている。
【００１９】
また、複数の冷蔵オープンショーケース１０は、それぞれ、蒸発器１２ｄとの間で冷媒を循環させて冷凍サイクルを構成する冷凍機２０が本体の上部に設置された冷凍機内蔵型のショーケースである。
【００２０】
冷凍機２０は、冷媒を圧縮して吐出する図示しない圧縮機と、圧縮機から吐出された冷媒を凝縮させるための凝縮器２１と、凝縮器２１において凝縮した冷媒を膨張させるための図示しない膨張弁と、凝縮器２１において冷媒と熱交換する空気を流通させるための凝縮器用送風機２２と、を有している。冷凍機２０を構成する凝縮器２１及び凝縮器用送風機２２等の機器は、ケーシング２３に収容されている。ケーシング２３は、冷蔵オープンショーケース１０の上部の前面側に配置されている。
【００２１】
ケーシング２３の前面には、ケーシング２３内に空気を流入させるための流入口２３ａが設けられている。また、ケーシング２３の上面には、ケーシング２３内を流通した空気を流出させるための流出口２３ｂが設けられている。
【００２２】
また、ケーシング２３内おける凝縮器２１の空気流通方向下流側には、蒸発器１２ｄによって空気を冷却する際に生じる結露水や蒸発器に付着した霜を取り除く際に生じる除霜水等のドレン水を蒸発させるためのドレン水蒸発処理機構２４が設けられている。
【００２３】
ドレン水蒸発処理機構２４は、ドレン水を貯留するためのドレンパン２４ａと、ドレンパン２４ａに貯留されたドレン水の蒸発を促進するための不織布からなる蒸発促進部材２４ｂと、を有している。冷蔵オープンショーケース１０の上部において、蒸発器１２ｄとドレンパン２４ａとの間には、蒸発器１２ｄからドレンパン２４ａに向かって下り傾斜となる図示しないドレン水流路が形成されている。蒸発器１２ｄにおいて生じるドレン水は、ドレン水流路を流通してドレンパン２４ａに貯留される。ドレン水蒸発処理機構２４は、ドレンパン２４ａに貯留されたドレン水を吸収した蒸発促進部材２４ｂにケーシング２３内を流通する空気を接触させることによってドレン水を蒸発させる。
【００２４】
冷蔵オープンショーケース１０の上部の前面側には、後述する冷凍機用空調機から供給された空気を流入口２３ａに向かって案内するためのガイド板２３ｃが設けられている。ガイド板２３ｃは、流入口２３ａの外側において、流入口２３ａの幅方向に延びるとともに上方に向かって延びている。
【００２５】
店舗１の天井内には、図１に示すように、店舗１内の空気の温度及び湿度を調整するための複数の主空調機３０と、冷蔵オープンショーケース１０の冷凍機２０から排出された熱を処理するための複数の冷凍機用空調機４０と、が設置されている。
【００２６】
複数の主空調機３０及び複数の冷凍機用空調機４０は、室外ユニットと室内ユニットとの間に冷凍サイクルが構成される空気調和装置の室内ユニットに相当するものである。複数の主空調機３０及び複数の冷凍機用空調機４０は、それぞれ、店舗１内に供給する空気と冷媒とを熱交換するための図示しない室内熱交換器を有している。
【００２７】
複数の主空調機３０は、店舗１内の出入口１ａ側において互いに店舗１の長手方向に間隔をおいて配置されている。複数の主空調機３０は、互いに連動して、冷房運転モード、暖房運転モード及び除湿運転モード等の運転モードが切り替えられる。各主空調機３０は、下方に位置する天井面Ｃに取り付けられる正方形のパネル３１を有する、所謂、４方向天井カセット型の空調機である。各主空調機３０は、パネル３１の中央部に設けられた空気吸入部から店舗１内の空気を吸入し、パネル３１の外周部の各辺に沿って設けられた空気吹出口から店舗内に空気を吹き出す。
【００２８】
複数の冷凍機用空調機４０は、店舗１内の複数の冷蔵オープンショーケース１０側において互いに店舗１内の長手方向に間隔をおいて配置されている。複数の冷凍機用空調機４０は、店舗１内の空気を吸入して冷却し、冷却した空気を店舗１内に供給する。各冷凍機用空調機４０は、所謂、ビルトイン型の空調機である。各冷凍機用空調機４０は、図２に示すように、天井内に位置する図示しない空気吸入口と天井面Ｃに取り付けられる矩形状の空気吸入パネル４１とがダクト４３を介して接続され、天井内に位置する図示しない空気吐出口と天井面Ｃに取り付けられる複数の吹出口４２とがダクト４４を介して接続されている。ここで、空気吸入パネル４１は、店舗１の天井面Ｃにおいて冷凍オープンショーケース６の上方を避けた位置に配置される。
【００２９】
複数の吹出口４２は、それぞれ、所謂、ライン型やユニバーサル型の吹出口である。複数の吹出口４２は、図１に示すように、それぞれ、複数の冷蔵オープンショーケース１０の上方において、冷蔵オープンショーケース１０の前面に沿って互いに所定の間隔をおいて配置されている。複数の吹出口４２は、天井面Ｃから店舗１内に空気を吹き出す際に空気の吹き出し方向を調整するための図示しない吹出方向調整機構を有している。複数の吹出口４２は、図２に示すように、それぞれの空気の吹き出し方向が、下方の近傍に位置する冷蔵オープンショーケース１０の冷凍機２０の流入口２３ａに向けられている。
【００３０】
また、本発明の空気調和システムは、店舗１内の温度を設定された温度とするために、主空調機３０及び冷凍機用空調機４０の動作を制御するためのコントローラ５０を備えている。
【００３１】
コントローラ５０は、ＣＰＵ、ＲＯＭ，ＲＡＭを有している。コントローラ５０は、入力側に接続された装置からの入力信号を受信すると、ＣＰＵが、入力信号に基づいてＲＯＭに記憶されたプログラムを読み出すとともに、入力信号によって検出された状態をＲＡＭに記憶したり、出力側に接続された装置に出力信号を送信したりする。
【００３２】
コントローラ５０の入力側には、図３に示すように、店舗１内の目標温度等の設定を入力するための設定入力部５１と、店舗１内の温度を検出するための店内温度センサ５２と、店舗１内における冷蔵オープンショーケース１０の冷凍機２０の上方の温度を検出するための冷凍機排気温度センサ５３と、ドレン水蒸発処理機構２４のドレンパン２４ａ内に貯留されたドレン水の水位を検出するためのフロートスイッチからなるドレン水位センサ５４と、が接続されている。コントローラ５０の出力側には、主空調機３０、冷凍機用空調機４０及び凝縮器用送風機２２が接続されている。
【００３３】
以上のように構成された空気調和システムにおいて、主空調機３０は、店舗１内の空気を吸入して室内熱交換器によって加熱または冷却して店舗１内に吹き出す。その際、コントローラ５０は、店舗１内の温度を設定入力部５１において設定された設定温度Ｔｓとするために、店内温度センサ５２の検出温度に基づいて、主空調機３０から店舗１内に吹き出す空気の温度を制御する。
【００３４】
また、冷凍機用空調機４０は、店舗１内の空気を空気吸入パネル４１から吸入して室内熱交換器によって冷却し、吹出口４２から冷凍機２０の流入口２３ａに向かって冷却した空気を吹き出す排熱処理運転を行う。
【００３５】
さらに、冷凍機２０は、冷凍機用空調機４０から店舗１内に吹き出された空気を、凝縮器用送風機２２の駆動によって流入口２３ａからケーシング２３内に流入させる。その際、冷凍機用空調機４０から店舗１内に吹き出された空気は、ガイド板２３ｃによって流入口２３ａに向かって案内されるため、冷蔵オープンショーケース１０の商品収納部１１の前面側への流通が規制される。ケーシング２３内に流入した空気は、凝縮器２１において冷媒と熱交換することによって加熱されて、ケーシング２３内を流通して流出口２３ｂから店舗１内に流出する。
【００３６】
このとき、コントローラ５０は、冷凍機２０の流出口２３ｂから流出する空気の温度を、例えば店舗１内の設定温度Ｔｓ等の目標温度Ｔｔとするために、冷凍機排気温度センサ５３に基づいて、冷凍機用空調機４０から冷凍機２０に向けて吹き出す空気の温度を制御する。
【００３７】
また、コントローラ５０は、ドレン水蒸発処理機構２４におけるドレン水の蒸発量を調整するためにドレン水蒸発量調整処理を行う。このときのコントローラ５０の動作を図４のフローチャートを用いて説明する。
【００３８】
（ステップＳ１）
ステップＳ１においてＣＰＵは、冷凍機２０の流出口２３ｂから流出する空気の目標温度Ｔｔを店舗１内の設定温度Ｔｓに設定し、ステップＳ２に処理を移す。
【００３９】
（ステップＳ２）
ステップＳ２においてＣＰＵは、ドレン水位センサ５４によってドレンパン２４ａにおけるドレン水の水位を検出し、検出された水位Ｈが所定の水位Ｈ１以上か否かを判定する。検出された水位Ｈが所定の水位Ｈ１以上であると判定した場合にはステップＳ３に処理を移し、検出された水位Ｈが所定の水位Ｈ１以上と判定しなかった場合にはステップＳ７に処理を移す。
【００４０】
（ステップＳ３）
ステップＳ２においてドレンパン２４ａにおけるドレン水の水位Ｈが所定の水位Ｈ１以上と判定した場合に、ステップＳ３においてＣＰＵは、目標温度Ｔｔが設定可能な範囲内の上限温度Ｔｍａｘ未満であるか否かを判定する。目標温度Ｔｔが設定可能な範囲内の上限温度Ｔｍａｘ未満であると判定した場合にはステップＳ４に処理を移し、冷凍機用空調機４０の目標温度Ｔｔが設定可能な範囲内の上限温度Ｔｍａｘ未満であると判定しなかった場合にはステップＳ５に処理を移す。
【００４１】
（ステップＳ４）
ステップＳ３において目標温度Ｔｔが設定可能な範囲内の上限温度Ｔｍａｘ未満であると判定した場合に、ステップＳ４においてＣＰＵは、目標温度Ｔｔを所定温度Ｘ（Ｋ）上昇させてステップＳ２に処理を戻す。
【００４２】
（ステップＳ５）
ステップＳ３において目標温度Ｔｔが設定可能な範囲内の上限温度Ｔｍａｘ未満であると判定しなかった場合に、ステップＳ５においてＣＰＵは、凝縮器用送風機２２の風量Ｆが設定可能な範囲内の上限値Ｆｍａｘ未満であるか否かを判定する。凝縮器用送風機２２の風量Ｆが設定可能な範囲内の上限値Ｆｍａｘ未満であると判定した場合にはステップＳ６に処理を移し、凝縮器用送風機２２の風量Ｆが設定可能な範囲内の上限値Ｆｍａｘ未満であると判定しなかった場合にはステップＳ２に処理を移す。
【００４３】
（ステップＳ６）
ステップＳ５において凝縮器用送風機２２の風量Ｆが設定可能な範囲内の上限値Ｆｍａｘ未満であると判定した場合に、ステップＳ６においてＣＰＵは、凝縮器用送風機２２の風量Ｆを所定割合Ｙ（％）増加させてステップＳ２に処理を移す。
【００４４】
（ステップＳ７）
ステップＳ２においてドレンパン２４ａにおけるドレン水の水位Ｈが所定の水位Ｈ１以上と判定しなかった場合に、ステップＳ７においてＣＰＵは、目標温度Ｔｔが店舗１内の設定温度Ｔｓに所定温度αを加算した温度（Ｔｓ＋α）より高いか否かを判定する。目標温度Ｔｔが店舗１内の設定温度Ｔｓに所定温度αを加算した温度（Ｔｓ＋α）より高いと判定した場合にステップＳ８に処理を移し、冷凍機用空調機４０の目標温度Ｔｔが店舗１内の設定温度Ｔｓに所定温度αを加算した温度（Ｔｓ＋α）より高いと判定しなかった場合にステップＳ９に処理を移す。
【００４５】
（ステップＳ８）
ステップＳ７において目標温度Ｔｔが店舗１内の設定温度Ｔｓに所定温度αを加算した温度（Ｔｓ＋α）より高いと判定した場合に、ステップＳ８においてＣＰＵは、目標温度Ｔｔを所定温度Ｘ（Ｋ）下降させてステップＳ２に処理を移す。
【００４６】
（ステップＳ９）
ステップＳ７において目標温度Ｔｔが店舗１内の設定温度Ｔｓに所定温度αを加算した温度（Ｔｓ＋α）より高いと判定しなかった場合に、ステップＳ９においてＣＰＵは、凝縮器用送風機２２の風量Ｆが基準となる風量Ｆｒに所定風量βを加算した風量（Ｆｒ＋β）よりも大きいか否かを判定する。凝縮器用送風機２２の風量Ｆが基準となる風量Ｆｒに所定風量βを加算した風量（Ｆｒ＋β）よりも大きいと判定した場合にはステップＳ１０に処理を移し、凝縮器用送風機２２の風量Ｆが基準となる風量Ｆｒに所定風量βを加算した風量（Ｆｒ＋β）よりも大きいと判定しなかった場合にはステップＳ２に処理を移す。
【００４７】
（ステップＳ１０）
ステップＳ９において凝縮器用送風機２２の風量Ｆが基準となる風量Ｆｒに所定風量βを加算した風量（Ｆｒ＋β）よりも大きいと判定した場合に、ステップＳ１０においてＣＰＵは、凝縮器用送風機２２の風量Ｆを所定割合Ｙ（％）低下させてステップＳ２に処理を移す。
【００４８】
このように、本実施形態の空気調和システムは、冷凍機２０から排出された熱を処理する空気を供給する冷凍機用空調機４０と、冷蔵オープンショーケース１０で生じたドレン水を、冷凍機用空調機４０から冷凍機２０に供給されて冷凍機２０から排出された熱を含む空気によって蒸発処理するドレン水蒸発処理機構２４と、ドレン水蒸発処理機構２４が有するドレンパン２４ａに貯留されたドレン水の量を取得するドレン水量取得部としてのドレン水位センサ５４と、ドレン水位センサ５４において取得したドレン水の量に基づいて、冷凍機用空調機４０から供給する空気の温度を制御する供給空気温度制御部としてのコントローラ５０と、を備えている。
【００４９】
これにより、冷凍機用空調機４０によって、冷蔵オープンショーケース１０の冷凍機２０から排出された熱を処理することができるとともに、ドレン水蒸発処理機構２４におけるドレン水の蒸発量を調整することができる。よって、冷凍機２０から排出された熱を店舗１外に排出するための装置を必要とすることなく、簡単な構成で冷凍機２０から排出される熱を処理することができ、装置の大型化を抑制することができる。また、ドレン水蒸発処理機構２４においてドレン水を確実に蒸発させることが可能となる。
【００５０】
ドレンパン２４ａに貯留されたドレン水の量は、ドレン水位センサ５４によって検出されたドレンパン２４ａ内のドレン水の水位に基づいて取得する。
【００５１】
これにより、ドレンパン２４ａに貯留されたドレン水の量を正確に取得することが可能となるので、ドレンパン２４ａからドレン水が溢れる状態をより確実に抑制することが可能となる。
【００５２】
また、コントローラ５０は、ドレン水位センサ５４によって取得したドレン水の量が所定量以上（水位Ｈ≧Ｈ１）の場合に、冷凍機用空調機４０から冷凍機２０に供給する空気の温度を上昇させる。
【００５３】
これにより、ドレン水蒸発処理機構２４に対してより高温の空気を供給することが可能となるため、ドレン水蒸発処理機構２４の蒸発促進部材２４ｂからのドレン水の蒸発量を増加させることが可能となる。
【００５４】
また、コントローラ５０は、ドレン水位センサ５４によって取得したドレン水の量が所定量以上（水位Ｈ≧Ｈ１）の場合に、凝縮器用送風機２２の風量を増加させる。
【００５５】
これにより、ドレン水蒸発処理機構２４に対してより多くの空気を供給することが可能となるため、ドレン水蒸発処理機構２４の蒸発促進部材２４ｂからのドレン水の蒸発量を増加させることが可能となる。
【００５６】
また、冷凍機２０は、冷蔵オープンショーケース１０の上部に設けられ、冷凍機２０の側面には、冷凍機２０から排出される熱を処理する空気を流入させる流入口２３ａが設けられ、冷凍機２０の上面には、冷凍機２０からの熱を含む空気を流出させる流出口２３ｂが設けられ、店舗１内の天井面Ｃには、冷凍機用空調機４０から店舗１内に供給される空気を流入口２３ａに向けて吹き出す吹出口４２が設けられている。
【００５７】
これにより、冷凍機用空調機４０と冷凍機２０とを直に接続することなく、冷凍機用空調機４０から吐出される空気を冷凍機２０に供給することが可能となるので、出店の際における施工費用の低減を図ることが可能となる。
【００５８】
尚、前記実施形態では、ドレンパン２４ａに貯留されたドレン水の量を、ドレンパン２４ａ内におけるドレン水の水位を検出するためのドレン水位センサ５４によって検出するものを示したが、これに限られるものではない。ドレンパン２４ａに貯留されたドレン水の量を取得できるものであれば、冷凍機２０を構成する凝縮器２１における冷媒の凝縮温度や凝縮器２１において冷媒と熱交換した空気の温度に基づいてドレンパン２４ａ内におけるドレン水の量を推定してもよい。この場合には、ドレンパン２４ａにドレン水位センサ５４を必要としないため、部品点数の低減を図ることが可能となる。
【００５９】
また、前記実施形態では、冷蔵オープンショーケース１０の上部において、蒸発器１２ｄを設けるとともに、蒸発器１２ｄの前方にドレン水蒸発処理機構２４を配置し、蒸発器１２ｄからドレンパン２４ａに向かって下り傾斜となるドレン水流路を介してドレン水をドレンパン２４ａに導くものを示したが、これに限られるものではない。蒸発器１２ｄにおいて発生したドレン水は、電動ポンプ等の搬送機構によってドレンパン２４ａまで搬送してもよい。この場合には、蒸発器１２ｄをドレン水蒸発処理機構２４よりも低い位置に配置することが可能となるため、様々な種類のショーケースに対して本発明を適用可能となる。
【００６０】
また、前記実施形態では、冷凍機２０のケーシング２３内に、凝縮器２１及び凝縮器用送風機２２を収容するようにしたものを示したが、これに限られるものではない。冷凍機２０を構成する圧縮機についても駆動によって店舗１内に熱を排出するため、ケーシング２３内に凝縮器２１及び凝縮器用送風機２２と共に圧縮機を収容し、圧縮機から排出される熱を冷凍機用空調機４０によって処理するようにしてもよい。
【００６１】
また、前記実施形態では、コントローラ５０によって、冷凍機２０から放出される熱によって加熱されて店舗１内に流入する空気の温度が店舗１内の設定温度Ｔｓとなるように、冷凍機用空調機４０から冷凍機２０に供給される空気の温度を制御するようにしたものを示したが、これに限られるものではない。例えば、コントローラ５０によって、冷凍機用空調機４０から冷凍機２０に供給される空気の温度を、店舗１内の設定温度Ｔｓとなるように制御するようにしてもよい。この場合には、冷凍機２０から排出される熱が、冷蔵オープンショーケース１０と比較して成績係数の高い冷凍機用空調機４０によって処理されることになるため、冷凍機２０から排出される熱を効率的に処理することが可能となる。
【００６２】
また、前記実施形態では、主空調機３０として４方向天井カセット型の空調機を用いるとともに、冷凍機用空調機４０としてビルトイン型の空調機を用いたものを示したが、これに限られるものではない。主空調機３０及び冷凍機用空調機４０としては、それぞれ４方向天井カセット型の空調機を用いてもよいし、ビルトイン型の空調機を用いてもよい。
【００６３】
また、前記実施形態では、複数の主空調機３０及び複数の冷凍機用空調機４０として、室外ユニットと室内ユニットとの間に冷凍サイクルが構成される空気調和装置の室内ユニットを用いたものを示したが、これに限られるものではない。主空調機３０及び冷凍機用空調機４０としては、例えば冷温水発生機によって生成された冷水または温水と店舗１内に供給する空気とを熱交換するエアハンドリングユニットやファンコイルユニットを用いてもよい。
【００６４】
また、前記実施形態では、複数の主空調機３０及び複数の冷凍機用空調機４０によって店舗１内の温度を調整するとともに、冷凍機２０から排出された熱の処理を行うようにしたものを示したが、これに限られるものではない。主空調機３０及び冷凍機用空調機４０は、それぞれ１台の空調機から構成してもよい。
【００６５】
また、前記実施形態では、ドレン水蒸発処理機構２４からのドレン水の蒸発量を増加させるために、冷凍機用空調機４０から供給する空気の温度を上昇させたり、凝縮器用送風機２２からの送風量を大きくしたりするようにしたものを示したが、これに限られるものではない。例えば、ドレン水蒸発処理機構のドレンパンに、冷凍機の高圧側の冷媒管によって構成されるドレンパンヒータを設けてもよい。この場合には、冷蔵ショーケースの設定温度を上昇させることにより、ドレンパンヒータの温度を上昇させることが可能となり、ドレン水蒸発処理機構からのドレン水の蒸発量を増加させることが可能となる。
【符号の説明】
【００６６】
１…店舗、１０…冷蔵オープンショーケース、２０…冷凍機、２１…凝縮器、２２…凝縮器用送風機、２３ａ…流入口、２３ｂ…流出口、２４…ドレン水蒸発処理機構、２４ａ…ドレンパン、４０…冷凍機用空調機、４２…吹出口、５０…コントローラ、５４…ドレン水位センサ。
【図１】
2020098085.tif 000003
【図２】
2020098085.tif 000004
【図３】
2020098085.tif 000005
【図４】
2020098085.tif 000006